【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
天気情報が格納される第１の記憶手段と、
地図データが格納された第２の記憶手段と、
表示装置と、
設定された出発地から目的地まで経路を、少なくとも前記天気情報及び前記地図データに基づいて求めて前記表示装置に表示させるデータ処理手段と、
地図データの各リンクに対応した天候コストが少なくとも格納された第３の記憶手段とを備え、
前記データ処理手段は、少なくとも前記天気情報、前記地図データ及び前記天候コストに基づいて前記経路を求めることを特徴とする経路探索装置。
【請求項２】
前記第３の記憶手段には地図データの各リンクに対応した季節係数が更に格納されており、前記データ処理手段は、前記天気情報、前記地図データ、前記天候コスト及び前記季節係数に基づいて前記経路を求めることを特徴とする請求項１記載の経路探索装置。
【請求項３】
天気情報が格納される第１の記憶手段と、
地図データが格納された第２の記憶手段と、
地図データの各リンクに対応した天候コストが少なくとも格納された第３の記憶手段と、
前記天候コストによる経路探索と通常コストによる経路探索との重み付けを示す天候重み付け係数が設定される第４の記憶手段と、
交通情報を受信する交通情報受信手段と、
表示装置と
設定された出発地から目的地まで経路を、前記天気情報、前記交通情報、前記地図データ、前記天候コスト及び前記天候重み付け係数に基づいて求めて前記表示装置に表示させるデータ処理手段と
を備えたことを特徴とする経路探索装置。
【請求項４】
前記データ処理手段は、
前記天候重み付け係数が天候優先を示す係数に設定されている場合には、少なくとも前記天気情報、前記地図データ及び前記天候コストに基づいて前記経路を求め、
前記天候重み付け係数が天候優先を示す係数と交通事情を優先する係数との間に設定されている場合には、少なくとも前記天気情報、前記地図データ及び前記天候コストに基づいて第１の経路を求めるとともに、前記交通情報及び前記地図データに基づいて第２の経路を求め、第１の経路のコストに前記天候重み付け係数を乗算したものと、前記第２の経路のコストとを比較して、コストの低い方を前記経路として採用し、
前記天候重み付け係数が交通情報を優先する係数に設定されている場合には、前記交通情報及び前記地図データに基づいて前記経路を求めることを特徴とする請求項３記載の経路探索装置。
【請求項５】
前記第３の記憶手段には地図データの各リンクに対応した季節係数が更に格納されており、前記データ処理手段は、前記天気情報、前記地図データ、前記天候コスト及び前記季節係数に基づいて前記経路を求めることを特徴とする請求項４記載の経路探索装置。
【請求項６】
前記データ処理手段は、出発地から目的地までの間の経路の候補を求め、各候補に含まれる地図データの各リンクについて天候コストに季節係数を乗算したものを加算して各候補のコストを求め、該コストの低い候補を前記経路とする請求項５記載の経路探索装置。
【請求項７】
時刻及び季節を計測する時計手段を備え、前記データ処理手段は、前記時計手段の出力に基づいて前記第１の記憶手段から天気情報及び季節係数を読み出すとともに、前記第３の記憶手段から前記天候コストを読み出すことを特徴とする請求項６記載の経路探索装置。
【請求項８】
天気情報を受信する天気情報受信部と、操作部とを備え、前記データ処理手段は、該天気情報受信部が受信した天気情報及び前記操作部の操作により入力された天気情報を前記第１の記憶手段に格納することを特徴とする請求項１乃至７の何れかに記載の経路探索装置。
【請求項９】
前記天候コストの代わりに、地図データの各リンクに対応した天候係数が格納され、前記データ処理手段は、前記天候係数と該当するリンクの距離とに基づいて前記天候コストを求めることを特徴とする請求項１乃至８の何れかに記載の記載の経路探索装置。
【請求項１０】
請求項１乃至９の何れかに記載の経路探索装置が搭載されたことを特徴とするナビゲーション装置。
【請求項１１】
請求項１乃至９の何れかに記載の経路探索装置のデータ処理手段を中央処理装置に実行させることを特徴とするプログラム。
【手続補正２】
【補正対象書類名】明細書
【補正対象項目名】０００６
【補正方法】変更
【補正の内容】
【０００６】
【課題を解決するための手段】
本発明の一つの態様に係る経路探索装置は、天気情報が格納される第１の記憶手段と、地図データが格納された第２の記憶手段と、表示装置と、設定された出発地から目的地まで経路を、少なくとも天気情報及び地図データに基づいて求めて表示装置に表示させるデータ処理手段と、地図データの各リンクに対応した天候コストが少なくとも格納された第３の記憶手段とを備え、前記データ処理手段は、少なくとも天気情報、地図データ及び天候コストに基づいて経路を求める。本願発明においては、出発地から目的地まで経路を、少なくとも天気情報及び地図データに基づいて求め、表示装置に表示させるようにしたので、経路探索をする際に天気情報を取り込むことができる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明の他の態様に係る経路探索装置は、上記の経路探索装置において、第３の記憶手段には地図データの各リンクに対応した季節係数が更に格納されており、データ処理手段は、天気情報、地図データ、天候コスト及び季節係数に基づいて経路を求める。
【手続補正５】
【補正対象書類名】明細書
【補正対象項目名】０００９
【補正方法】変更
【補正の内容】
【０００９】
本発明の他の態様に係る経路探索装置は、天気情報が格納される第１の記憶手段と、地図データが格納された第２の記憶手段と、地図データの各リンクに対応した天候コストが少なくとも格納された第３の記憶手段と、天候コストによる経路探索と通常コストによる経路探索との重み付けを示す天候重み付け係数が設定される第４の記憶手段と、交通情報を受信する交通情報受信手段と、表示装置と、設定された出発地から目的地まで経路を、天気情報、交通情報、地図データ、天候コスト及び天候重み付け係数に基づいて求めて表示装置に表示させるデータ処理手段とを備えたものである。本発明においては、天候重み付け係数の値に応じて、天候コストによる経路探索を優先するか、通常コストによる経路探索を優先するか、或いはその中間で、両方の経路探索によりそれぞれ経路を求め、天候重み付け係数の値に応じて何れかを採用する。なお、ここで、通常コストによる経路探索とは、時間、又は時間及び料金をコストとする経路探索を包含するものとする。
【手続補正６】
【補正対象書類名】明細書
【補正対象項目名】００１０
【補正方法】変更
【補正の内容】
【００１０】
本発明の他の態様に係る経路探索装置において、前記データ処理手段は、
前記天候重み付け係数が天候優先を示す係数に設定されている場合には、少なくとも前記天気情報、前記地図データ及び前記天候コストに基づいて前記経路を求め、
前記天候重み付け係数が天候優先を示す係数と交通事情を優先する係数との間に設定されている場合には、少なくとも前記天気情報、前記地図データ及び前記天候コストに基づいて第１の経路を求めるとともに、前記交通情報及び前記地図データに基づいて第２の経路を求め、第１の経路のコストに前記天候重み付け係数を乗算したものと、前記第２の経路のコストとを比較して、コストの低い方を前記経路として採用し、
前記天候重み付け係数が交通情報を優先する係数に設定されている場合には、前記交通情報及び前記地図データに基づいて前記経路を求めることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明の他の態様に係る経路探索装置において、第３の記憶手段には地図データの各リンクに対応した季節係数が更に格納されており、データ処理手段は、天気情報、地図データ、天候コスト及び季節係数に基づいて経路を求める。
【手続補正１０】
【補正対象書類名】明細書
【補正対象項目名】００１４
【補正方法】変更
【補正の内容】
【００１４】
本発明の他の態様に係る経路探索装置において、データ処理手段は、出発地から目的地までの間の経路の候補を求め、各候補に含まれる地図データの各リンクについて天候コストに季節係数を乗算したものを加算して各候補のコストを求め、コストの低い候補を経路とする。
【手続補正１１】
【補正対象書類名】明細書
【補正対象項目名】００１５
【補正方法】変更
【補正の内容】
【００１５】
本発明の他の態様に係る経路探索装置は、時刻及び季節を計測する時計手段を備え、前記データ処理手段は、前記時計手段の出力に基づいて前記第１の記憶手段から天気情報及び季節係数を読み出すとともに、前記第３の記憶手段から前記天候コストを読み出す。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
本発明の他の態様に係る経路探索装置において、天気情報を受信する天気情報受信部と、操作部とを備え、前記データ処理手段は、該天気情報受信部が受信した天気情報及び前記操作部の操作により入力された天気情報を前記第１の記憶手段に格納する。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
本発明の他の態様に係る経路探索装置において、天候コストの代わりに、地図データの各リンクに対応した天候係数が格納され、データ処理手段は、天候係数と該当するリンクの距離とに基づいて天候コストを求める。
【手続補正１８】
【補正対象書類名】明細書
【補正対象項目名】００２２
【補正方法】変更
【補正の内容】
【００２２】
本発明の他の態様に係るナビゲーション装置は、上記の経路探索装置が搭載されたものである。
【手続補正１９】
【補正対象書類名】明細書
【補正対象項目名】００２３
【補正方法】変更
【補正の内容】
【００２３】
本発明の他の態様に係るプログラムは、上記の経路探索装置のデータ処理手段を中央処理装置に実行させるものである。